【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
複数のデータ項目（５０２）を含む元データ（２０４）であって、前記複数のデータ項目は、特定のデータ項目を含み、該特定のデータ項目は、特定のデータ項目タイプのものである、元データと、
フィールド（１０８）を有する提示可能なファイル（２０２）であって、前記フィールドは、フィールドタイプ（１１６）と、少なくとも１つのパラメータ（１１８）とを含み、該少なくとも１つのパラメータは、前記特定のデータ項目を参照する、提示可能なファイルと、
複数の提示ルールのセット（７０２）を含む変換エンジン（２０６）であって、前記複数の提示ルールのセットは、前記特定のデータ項目タイプを対象とする特定の提示ルールサブセット（７０４）を有する少なくとも１つの提示ルールのセットを含む、変換エンジンと
を備え、
前記変換エンジンは、該変換エンジンを少なくとも前記特定のデータ項目に適用することができるアプリケーション（２０８）とは別個に存在することを特徴とするデバイス。
【請求項２】
前記元データは、ＸＭＬに従って構成されており、
前記変換エンジンは、ＸＳＬＴに従って構成されている
ことを特徴とする請求項１に記載のデバイス。
【請求項３】
前記フィールドは、提示するのに適した結果をさらに含み、
該結果は、前記特定のデータ項目の前記特定のデータ項目タイプを対象とする前記特定の提示ルールサブセットを適用した後の前記特定のデータ項目を表す
ことを特徴とする請求項１に記載のデバイス。
【請求項４】
アプリケーションであって、
前記フィールドタイプと、前記少なくとも１つのパラメータとを参照して前記フィールドを解釈することができるフィールドインタープリタと、
前記特定のデータ項目を参照する前記少なくとも１つのパラメータに応じて、前記元データから前記特定のデータ項目の少なくとも一部を抽出するように適合されている元データエクストラクタと、
前記少なくとも１つの提示ルールのセットを前記特定のデータ項目に適用するように適合されている元データトランスフォーマであって、前記特定のデータ項目の前記特定のデータ項目タイプを対象とする前記特定の提示ルールサブセットは、前記アプリケーションによる直接的な制御を伴わずに、前記特定のデータ項目に適用される、元データトランスフォーマと
を含むアプリケーション
をさらに備えたことを特徴とする請求項１に記載のデバイス。
【請求項５】
アプリケーション（２０８）のための方法であって、
フィールドを解釈するステップ（３０４）と、
前記解釈するステップに応じて、第１のファイル部分（２０４）から前記フィールドのための元データを抽出するステップ（３０６）と、
前記フィールドを提示する前に、第２のファイル部分（２０６）を使用して前記元データを変換するステップ（３０８）と
を備え、
前記第１のファイル部分（２０４）および前記第２のファイル部分（２０６）は、前記アプリケーション（２０８）から分離されていることを特徴とする方法。
【請求項６】
提示可能なファイルのデータストリームの提示の一部として、前記変換された元データを提示するステップ
をさらに備え、
前記変換するステップは、前記アプリケーションによる直接的な制御を伴わずに実現され、
前記第１のファイル部分および前記第２のファイル部分はそれぞれ、前記提示可能なファイルの一部を含むことを特徴とする請求項５に記載の方法。
【請求項７】
前記解釈するステップは、
解釈される前記フィールドのフィールドタイプを確認するステップと、
解釈される前記フィールドの少なくとも１つのパラメータを取得するステップと
を含むことを特徴とする請求項５に記載の方法。
【請求項８】
前記変換するステップは、
前記第２のファイル部分の変換エンジンを識別するステップと、
変換された元データを前記フィールドのための提示データとして作成するために、前記識別した変換エンジンを前記元データに適用するステップと
を含むことを特徴とする請求項５に記載の方法。
【請求項９】
前記解釈するステップは、
参照される元データが前記フィールドの提示前に変換されることになることを前記フィールドのフィールドタイプが示していると判断するステップと、
前記フィールドから少なくとも１つのパラメータを取得するステップであって、前記少なくとも１つのパラメータは、前記元データのデータ項目への参照を含む、取得するステップと
を含み、
前記抽出するステップは、
前記少なくとも１つのパラメータによって参照される場所から、前記元データの前記データ項目のうちの少なくとも一部を取り出すステップ
を含み、
前記変換するステップは、
前記元データの前記参照されるデータ項目に変換エンジンを適用するステップであって、前記変換エンジンは、複数の提示ルールのセットを含み、前記アプリケーションは、前記複数の提示ルールのセットの内部メカニズムを意識しない、適用するステップ
を含むことを特徴とする請求項５に記載の方法。
【請求項１０】
埋め込みフィールド（１０８）を処理することができるアプリケーション（２０８）を含むプロセッサ実行可能命令を有する１つまたは複数のプロセッサがアクセス可能な媒体を備えたシステムであって、
前記アプリケーションは、前記フィールドの少なくとも１つのパラメータ（１１８）に応じて、ファイル（２０２）のフィールド（１０８）のための元データ（２０４）を取り出す（２１６）ように適合されており、
前記少なくとも１つのパラメータは、前記元データを参照し（４０４）、
前記アプリケーションは、変換エンジン（２０６）の選択された提示ルールのセット（７０２）に従って、該選択された提示ルールのセットの内部メカニズムを意識することなく、前記参照される元データが変換されるようにする（２１８）ようにさらに適合されている
ことを特徴とするシステム。
【請求項１１】
前記参照される元データは、特定のデータ項目タイプのデータ項目を含み、
前記選択された提示ルールのセットは、前記特定のデータ項目タイプを対象とする特定の提示ルールサブセットを含み、
前記アプリケーションと前記変換エンジンとのうちの少なくとも１つは、前記特定のデータ項目タイプを対象とする前記特定の提示ルールサブセットを前記参照されるデータ項目に適用するように適合されている
ことを特徴とする請求項１０に記載のシステム。
【請求項１２】
前記アプリケーションは、前記ファイルのための埋め込みフィールドをユーザが作成できるようにすることができ、
前記埋め込みフィールドは、該埋め込みフィールドが、該埋め込みフィールドの１つまたは複数のパラメータに基づいて、かつ前記変換エンジンの前記選択された提示ルールのセットに応じて提示されることを意図したものであるという指示を含み、
前記アプリケーションは、前記ユーザが、前記埋め込みフィールドの前記１つまたは複数のパラメータに前記元データのデータ項目を参照させるようにすることができる
ことを特徴とする請求項１０に記載のシステム。
【請求項１３】
文献情報（１００２）用のスキーマ（１００４）を含むプロセッサ実行可能命令を有する１つまたは複数のプロセッサがアクセス可能な媒体であって、
前記スキーマ（１００４）は、前記文献情報（１００２）のためのフレームワークを提供するために複数の文献出典タイプを含むことを特徴とする１つまたは複数のプロセッサがアクセス可能な媒体。
【請求項１４】
前記フレームワークは、前記文献情報のためのレイアウトと、編成と、相互関係と、許容可能なコンテンツとのうちの少なくとも１つを定義することを特徴とする請求項１３に記載の１つまたは複数のプロセッサがアクセス可能な媒体。
【請求項１５】
前記スキーマは、前記フレームワークに従って編成されている文献情報の元データを作成すること、変更すること、または解釈することを目的として、スキーマ利用モジュールによって利用可能であることを特徴とする請求項１３に記載の１つまたは複数のプロセッサがアクセス可能な媒体。